(57)【要約】【課題】 マット部材を個々に識別するための無線式自動認識ＩＤチップの、マット部材への埋設、マット部材の洗濯等における熱耐久性、耐水性、絶縁性とを向上させる。【解決手段】  足ふき部等の機能部を表面に備え、ゴム又は弾性合成樹脂で形成された本体マット部と、その本体マット部の外縁部の周囲に、その本体マット部より外側に一定量はみ出るように、かつにその本体マットの外縁部と重なり合う重なり部を介して接合された、ゴム又は弾性合成樹脂で形成された外縁側マット部との重なり部に、可撓性を有しかつ薄片状をなして当該マットの識別情報であるＩＤを記憶する無線通信用薄片を狭持させた。またその無線通信用薄片をシートで包んで、熱膨張の吸収、耐水性や絶縁性の向上を図る。また、その無線通信用薄片に記憶されているＩＤと対応付けたリンクＩＤの表示部を設けて、無線通信用薄片が壊れた場合にも、マット部材の特定を容易にする。【選択図】    図９
2005052662.tif 000002
【特許請求の範囲】
【請求項１】
足ふき部等の機能部を表面に備え、ゴム又は弾性合成樹脂で形成された本体マット部と、
その本体マット部の外縁部の周囲に、その本体マット部より外側に一定量はみ出るように、かつその本体マットの外縁部と重なり合う重なり部を介して接合された、ゴム又は弾性合成樹脂で形成された外縁側マット部と、
前記重なり部の重なり幅以下の幅のもので、可撓性を有しかつ薄片状をなして当該マットの識別情報であるＩＤを記憶するとともに、それら本体マット部と外縁側マット部との重なり部に狭持され、無線式読取り装置によってそのＩＤが読み取り可能とされた無線通信用薄片と、
を備えることを特徴とするマット部材。
【請求項２】
前記無線通信用薄片は、互いに接合された前記本体マット部と外縁側マット部との重なり部に、可撓性を有するシートに包まれる等して覆われた状態で狭持されるとともに、その狭持状態において前記シートの内部で前記無線通信用薄片が当該シートに対して変位可能に保持されている請求項１に記載のマット部材。
【請求項３】
前記無線通信用薄片を包む等して覆う前記シートは、少なくとも前記無線通信用薄片に接触する内面が前記無線通信用薄片と接着・一体化しない非接着面とされている請求項２に記載のマット部材。
【請求項４】
前記無線通信用薄片を包む等して覆う前記シートは、少なくとも前記無線通信用薄片に接触する内面にその無線通信用薄片との摩擦を低減するコーティング層を備えている請求項２に記載のマット部材。
【請求項５】
前記無線通信用薄片は、互いに接合された前記本体マット部と外縁側マット部との重なり部に、可撓性を有する耐水性のシートに覆われた状態で狭持されている請求項１ないし４のいずれか１項に記載のマット部材。
【請求項６】
前記無線通信用薄片は、互いに接合された前記本体マット部と外縁側マット部との重なり部に、可撓性を有し電気的な絶縁性を有するシートに覆われた状態で狭持されている請求項１ないし５のいずれか１項に記載のマット部材。
【請求項７】
前記無線通信用薄片は、互いに接合された前記本体マット部と外縁側マット部との重なり部に、可撓性、耐水性および電気的な絶縁性を備えたシートに覆われた状態で狭持されている請求項１又は２に記載のマット部材。
【請求項８】
前記無線通信用薄片は、互いに接合された前記本体マット部と外縁側マット部との重なり部に、可撓性、耐水性および電気的な絶縁性を備えたシートに包まれる等して覆われた状態で狭持されるとともに、その狭持状態において前記シートの内部で前記無線通信用薄片が該シートに対して変位可能に保持されている請求項１に記載のマット部材。
【請求項９】
前記シートは、シート基材の片面又は両面に耐水性の樹脂コーティングがされている請求項２ないし８のいずれか１項に記載のマット部材。
【請求項１０】
前記シートは、シート基材の片面又は両面にシリコン樹脂コーティングがされている請求項２ないし９のいずれか１項に記載のマット部材。
【請求項１１】
前記マット部材には、前記無線通信用薄片が記憶しているＩＤと対応付けたリンクＩＤを表したリンクＩＤ表示部が形成されている請求項１ないし１０のいずれか１項に記載のマット部材。
【請求項１２】
前記予備ＩＤ表示部は、前記本体マット部又は外縁側マット部の裏面に、前記無線通信用薄片に記憶されたＩＤと対応付けて決定された数字・文字・記号・符号又はそれらの組合せ等のリンクＩＤが表示されたものである請求項１１に記載のマット部材。
【請求項１３】
前記無線通信用薄片は長手形状をなし、その長手方向に沿って無線通信用のアンテナが形成され、その薄片の幅が前記重なり部の重なり幅以下とされるとともに、その薄片の長手方向が前記重なり部の長手方向に沿うように該薄片が配置されている請求項１ないし１２のいずれか１項に記載のマット部材。
【請求項１４】
前記無線通信用薄片は長手形状をなし、その長手方向に沿って無線通信用のアンテナが形成され、その薄片の幅が前記重なり部の重なり幅より小さくされるとともに、その長手方向を前記重なり部の長手方向に沿って配置され、かつ前記シートはその無線通信用薄片の長手方向の寸法より大きな長さを有して、前記無線通信用薄片がそのシート内に収まるように覆われている請求項１ないし１３のいずれか１項に記載のマット部材。
【請求項１５】
前記無線通信用薄片は長手形状をなし、その長手方向に沿って無線通信用のアンテナが形成され、その薄片は自身の幅方向に前記シートで覆われており、その長手方向において前記薄片の熱膨張と前記重なり部の熱膨張率との差を解消するように前記薄片が前記シート内で変位可能とされて前記熱膨張に伴う伸長が許容される請求項２ないし１４のいずれか１項に記載のマット部材。
【請求項１６】
足ふき部等の機能部を表面に備え、ゴム又は弾性合成樹脂で形成されたマット部と、
そのマット部の裏面に部分的に接合された、ゴム又は弾性合成樹脂で形成された接合片と、
可撓性を有しかつ薄片状をなして当該マットの識別情報であるＩＤを記憶するとともに、前記マット部と接合片部との重なり部に狭持され、無線式読取り装置によってそのＩＤが読み取り可能とされた無線通信用薄片と、
を備えることを特徴とするマット部材。
【請求項１７】
前記無線通信用薄片は長手形状をなし、その長手方向に沿って無線通信用のアンテナが形成され、その長手形状の薄片が前記機能部の外縁に沿うように前記マット部の裏面に前記接合片部により配置されている請求項１６に記載のマット部材。
【請求項１８】
前記無線通信用薄片は、互いに接合された前記マット部と接合片部との重なり部に、可撓性を有するシートに包まれる等して覆われた状態で狭持されるとともに、その狭持状態において前記シートの内部で前記無線通信用薄片が該シートに対して変位可能に保持されている請求項１６又は１７に記載のマット部材。
【請求項１９】
前記無線通信用薄片をくるむ前記シートは、少なくとも前記無線通信用薄片に接触する内面が前記無線通信用薄片と接着・一体化しない非接着面とされている請求項１８に記載のマット部材。
【請求項２０】
前記無線通信用薄片をくるむ前記シートは、少なくとも前記無線通信用薄片に接触する内面にその記無線通信用薄片との摩擦を低減するコーティング層を備えている請求項１８又は１９に記載のマット部材。
【請求項２１】
前記無線通信用薄片は、互いに接合された前記マット部と接合片部との重なり部に、可撓性を有する耐水性のシートに覆われた状態で狭持されている請求項１８ないし２０のいずれか１項に記載のマット部材。
【請求項２２】
前記無線通信用薄片は、互いに接合された前記マット部と接合片部との重なり部に、可撓性を有し電気的な絶縁性を有するシートに覆われた状態で狭持されている請求項１８ないし２１のいずれか１項に記載のマット部材。
【請求項２３】
前記無線通信用薄片は、互いに接合された前記マット部と接合片部との重なり部に、可撓性、耐水性および電気的な絶縁性を備えたシートに覆われた状態で狭持されている請求項１６又は１７に記載のマット部材。
【請求項２４】
前記無線通信用薄片は、互いに接合されたマット部と接合片部との重なり部に、可撓性、耐水性および電気的な絶縁性を備えたシートに覆われた状態で狭持されるとともに、その狭持状態において前記シートの内部で前記無線通信用薄片が該シートに対して変位可能に保持されている請求項１６又は１７に記載のマット部材。
【請求項２５】
前記シートは、シート基材の片面又は両面にシリコン樹脂コーティングがされている請求項１８ないし２４のいずれか１項に記載のマット部材。
【請求項２６】
前記マット部材には、前記無念通信用薄片が記憶しているＩＤとリンクするように対応付けた予備ＩＤを表した予備ＩＤ表示部が形成されている請求項１６ないし２５のいずれか１項に記載のマット部材。
【請求項２７】
前記予備ＩＤ表示部は、前記本体マット部又は外縁側マット部の裏面に、前記無線通信用薄片に記憶されたＩＤと対応付けて決定された文字・記号・符号又はそれらの組合せ等の視認可能なリンクＩＤが表示されたものである請求項２６に記載のマット部材。
【発明の詳細な説明】
【発明が属する技術分野】
【０００１】
この発明はマット部材、例えばレンタル品としてユーザに供給されて、洗浄等のための回収を経て循環的に使用される足ふきマット部材をはじめ、ゴム又は弾性合成樹脂をマット部に備えるマット部材に関する。
【従来の技術】
【０００２】
従来、上記のようなマット部材において、そのマット部材に固有の識別データを付与することにより、レンタル用に供されるマット部材が特定のユーザにより使用される場合等に、そのマットの特定を容易にすることが行われている。
特許文献１では、剛体でコイン状の小型無線周波信号発生器（ＲＦチップ、いわゆるデータキャリア）をマットのゴム内に配設し、ＲＦチップにはそのマットに固有の識別データ（ＩＤ）を記憶させておき、読み取り器から発信された電波によりＲＦチップを起動させて、その識別データを電波によりＩＤ読み取り器側へ発信させるようにしたものである。
【０００３】
【特許文献１】特許第２６３１１８８号公報
【発明の開示】
【発明が解決しようとする課題】
【０００４】
しかしながら、特許文献１のＲＦチップ（小型無線周波発信器）は、洋服コートのボタン状のもの（例えば直径約２２mm、厚さ約４mm）で、固い上に厚みがあって大きく、これをマットに埋め込むと、その部分が盛り上がって見栄えが悪く、またドアの下縁がその盛り上がり部に引っ掛かったり、そのチップが靴のハイヒールで踏まれると破損したりする問題があった。また、レンタル用のマットを回収して洗濯した後、無秩序な形態のマットをプレス装置で押し付けたり、遠心回転させる等、洗濯機器により水を絞ることがあるが、その際にチップがマットから飛び出したりすることもあった。
【課題を解決するため手段及び発明の効果】
【０００５】
この発明は、足ふき部等の機能部を表面に備え、ゴム又は弾性合成樹脂で形成された本体マット部と、
その本体マット部の外縁部の周囲に、その本体マット部より外側に一定量はみ出るように、かつにその本体マットの外縁部と重なり合う重なり部を介して接合された、ゴム又は弾性合成樹脂で形成された外縁側マット部と、
前記重なり部の重なり幅以下の幅のもので、可撓性を有しかつ薄片状をなして当該マットの識別情報であるＩＤを記憶するとともに、それら本体マット部と外縁側マット部との重なり部に狭持され、無線式読取り装置によってそのＩＤが読み取り可能とされた無線通信用薄片と、
を備えることを特徴とするマット部材である。
【０００６】
このように、無線通信用薄片（薄片状無線認識チップ）を本体マット部と外縁側マット部の重なり部に挟み込んで装着することにより、マット部材の盛り上がりが実質上なく、その装着が分からず、意匠的に好ましくかつ使い勝手もよい。さらに、その無線通信用薄片が可撓性を有するから、洗濯の絞り工程等における変形にも追従性があり、その薄片がマット部材から飛び出してしまうこともない。また、マット部材の上記重なり部を無線通信用薄片の狭持部に利用することで、通信用薄片の装着に必要な専用の部材が要らないので、見た目は通信用薄片が装着されていない通常のマット部材と同様であり、構造も簡単なものとなる。
【０００７】
前記無線通信用薄片は、互いに接合された前記本体マット部と外縁側マット部との重なり部に、可撓性を有するシートに包まれる等して覆われた状態で狭持されるとともに、その狭持状態において前記シートの内部で前記無線通信用薄片が該シートに対して変位可能に保持されるようにすることができる。
【０００８】
通常、本体マット部上に例えばパイルが植え込まれて足ふきの機能部とされ、この本体マット部の周囲に、載置性・安定性を高める外縁側マット部が一部重なり合うように配置され、その重なり部で熱圧着されて一体的なマット部材となる。無線通信薄片をマット部材に装着する工程で、その薄片は重なり部の熱圧着によりそこに狭持されるが、重なり部（一般にはゴム）の熱膨張と通信用薄片（例えば極薄チップ及びアンテナが樹脂フィルム等でラミネートされたもの）の熱膨張に相当の差があると、その狭持される薄片（例えばアンテナ）が断絶等で破壊される可能性もあるが、前記通信用薄片がシートでくるまれる等して覆われ、そのシート内で薄片が変位可能とされることにより、上記熱膨張差があってもそれが吸収され、狭持工程時の通信用薄片が破損しにくくなる。
【０００９】
前記無線通信用薄片を覆う前記シートは、少なくとも前記無線通信用薄片に接触する内面が前記無線通信用薄片と接着・一体化しない非接着面とされるようにすることができ、これによりシート内で無線通信用薄片が伸縮しやすくなる。
【００１０】
前記無線通信用薄片を覆う前記シートは、少なくとも前記無線通信用薄片に接触する内面にその記無線通信用薄片との摩擦を低減するコーティング層を備えるようにすることができ、これによりシート内での無線通信用薄片の滑りをよくすることができる。
【００１１】
前記無線通信用薄片は、互いに接合された前記本体マット部と外縁側マット部との重なり部に、可撓性を有する耐水性のシートに包まれる等して覆われた状態で狭持されるようにすることができる。マット部材が例えば洗濯される場合、重なり部の内部に水が入り込む場合があり（重なり部は一般にゴム製で、洗濯後の水絞りを容易にするために多数の微小孔が形成されているのが普通）、その際に耐水性のシートにより無線通信用薄片が水の侵入から保護され、浸水による故障を回避しやすくなる。
【００１２】
前記無線通信用薄片は、互いに接合された前記本体マット部と外縁側マット部との重なり部に、可撓性を有し電気的な絶縁性を有するシートに覆われた状態で狭持されるようにすることができる。本体マット部と外縁側マット部との重ね合わせ部の熱圧着又はその後のマット裏面の仕上げコーティング等により、その重ね合わせ部が導電性を呈するようになる場合があるが、無線通信用薄片がそのまま裸で重ね合わせ部に狭持されていると、その薄片の回路部がマット部材を介してアース（接地）される可能があり、そうすると無線通信用薄片によりＩＤを自動認識する機能が充分に発揮されにくい状況も生じうるが、無線通信用薄片が絶縁性のシートでくるまれて（覆われて）いれば、そうした接地が生じにくくなる。
【００１３】
前記無線通信用薄片は、互いに接合された前記本体マット部と外縁側マット部との重なり部に、可撓性、耐水性および電気的な絶縁性を備えたシートにくるまれた状態で狭持されるようにすることができ、この場合は上述の水から無線通信用薄片を保護する機能、及びアースを生じにくくする双方の機能が得られる。
【００１４】
前記無線通信用薄片は、互いに接合された前記本体マット部と外縁側マット部との重なり部に、可撓性、耐水性および電気的な絶縁性を備えたシートに包まれ等して覆われた状態で狭持されるとともに、その狭持状態において前記シートの内部で前記無線通信用薄片が該シートに対して変位可能に保持されるようにすることができ、これにより上述の熱膨張差の吸収、水から無線通信用薄片を保護する機能、及びアースを生じにくくする機能が同時に得られる。
【００１５】
前記シートは、シート基材の片面又は両面に耐水性の樹脂コーティングがされるようにすることができる。例えばシート基材の片面又は両面にシリコン樹脂コーティングがされ、シート基材が例えば紙をベースにするものとすれば、そのシリコン樹脂コーティングにより、マット部材内の無線通信用薄片を水から保護し、またマット部材とのある程度の絶縁性も確保し、さらにその薄片との摩擦軽減（熱膨張による伸縮の許容）等の効果を付与することができる。
【００１６】
前記マット部材には、前記無念通信用薄片が記憶しているＩＤと対応付けたリンクＩＤを表したリンクＩＤ表示部が形成されているようにすることができる。例えばリンクＩＤ表示部は、前記本体マット部又は外縁側マット部の裏面に、前記無線通信用薄片に記憶されたＩＤと対応付けて決定された文字・記号・符号又はそれらの組合せ等の視認可能なリンクＩＤが表示されたものとすることができる。
【００１７】
マット部材内に配設した無線通信用薄片が何らかの理由で、そこに記憶しているＩＤを電波で発信して自動認識させる機能を果たせなくなった場合（破損や寿命等による機能不能）、そのマット部材がいかなるＩＤを有していたのかを認識することは実質上不可能か、可能であるとしても、機能不能になった無線通信用薄片のＩＤを何らかの手段により読み出すことはきわめて困難を伴う。そこで、無線通信用薄片に記憶されたＩＤと予め対応付けられたリンクＩＤを表示するリンクＩＤ表示部が、マット部材にその薄片における記憶とは別個に形成されていれば、仮に無線通信用薄片が壊れても、マット部材のリンクＩＤ表示部を見れば、そのリンクＩＤから、無線通信用薄片に記憶された本来のＩＤが判明する。よって、無線通信用薄片が壊れた場合でも、そのマット部材の特定が容易にでき、またその無線通信用薄片を取り替える場合でも、取り替え対象の旧ＩＤからどんなＩＤに置き換えられたか（同じにすることも新規に付与し直すことも可能）を簡単に履歴に残すことができ、管理履歴が空白なく維持される。
【００１８】
前記無線通信用薄片は長手形状をなし、その長手方向に沿って無線通信用のアンテナが形成され、その薄片の幅が前記重なり部の重なり幅以下にされるとともに、その薄片の長手方向が前記重なり部の長手方向に沿うように該薄片が配置されるようにすることができる。これにより受発信機能を高めるより長いアンテナを採用でき、その長いアンテナを上記重なり部にうまく納めることが可能となる。
【００１９】
前記無線通信用薄片は長手形状をなし、その長手方向に沿って無線通信用のアンテナが形成され、その薄片の幅が前記重なり部の重なり幅より小さくされるとともに、その長手方向を前記重なり部の長手方向に沿って配置され、かつ前記シートはその無線通信用薄片の長手方向の寸法より大きな長さを有して、前記無線通信用薄片がそのシート内に収まるように覆われるようにすることができる。
【００２０】
前記無線通信用薄片は長手形状をなし、その長手方向に沿って無線通信用のアンテナが形成され、その薄片は自身の幅方向に前記シートでくるまれて（覆われて）おり、その長手方向において前記薄片の熱膨張と前記重なり部の熱膨張率との差を解消するように前記薄片が前記シート内で変位可能とされて前記熱膨張に伴う伸長が許容されるようにすることができる。これにより、無線通信用薄片の主に長手方向に生じる熱膨張を、その長手方向に沿って上記シート内で許容する（逃がす）ことができ、熱膨張に対する無線通信用薄片の耐久性が高められる。
【００２１】
また、この発明は、足ふき部等の機能部を表面に備え、ゴム又は弾性合成樹脂で形成されたマット部と、
そのマット部の裏面に部分的に接合された、ゴム又は弾性合成樹脂で形成された接合片と、
可撓性を有しかつ薄片状をなして当該マットの識別情報であるＩＤを記憶するとともに、前記マット部と接合片部との重なり部に狭持され、無線式読取り装置によってそのＩＤが読み取り可能とされた無線通信用薄片と、
を備えることを特徴とするマット部材である。
【００２２】
このようなマット部材においても、無線通信用薄片（薄片状無線認識チップ）をマット部と接合片部の間（重なり部）に挟み込んで装着することにより、そのチップの厚みがほとんど外観に表れず、意匠的に好ましくかつ使い勝手もよい。さらに、その無線通信用薄片が可撓性を有するから、洗濯工程等における変形にも追従性があり、その薄片がマット部材から飛び出してしまうこともない。
【００２３】
また、マット部材のマット部に無線通信用薄片を介して接合片部を接合することにより、既に製品として存在するマット部材に対し簡単に無線通信用薄片を配設することができ、それにより既存のマット部材に後工程で特定のＩＤを付与して、個々の管理を用意にすることができる。さらに、その無線通信用薄片が破壊や故障した場合でも、マット部に接合片部を接合してその間に無線通信用薄片を狭持させれば、無線通信用薄片の交換にも容易に対応できる。
【００２４】
その無線通信用薄片は長手形状をなし、その長手方向に沿って無線通信用のアンテナが形成され、その長手形状の薄片が前記機能部の外縁に沿うように前記マット部の裏面に前記接合片部により配置されるようにすることができ、これにより出きるだけ長いアンテナを確保して、その薄片による自動ＩＤ認識における受信・送信機能を高めることができる。
【００２５】
その無線通信用薄片は、互いに接合された前記マット部と接合片部との重なり部に、可撓性を有するシートにくるまれた（覆われた）状態で狭持されるとともに、その狭持状態において前記シートの内部で前記無線通信用薄片が該シートに対して変位可能に保持されるようにすることができ、これにより無線通信用薄片とマット部及び接合片部とが熱圧着される場合に、その薄片とマット部等との熱膨張差を吸収して、薄片の熱膨張に対する耐久性を高めることができる。
【００２６】
なお、前記無線通信用薄片をくるむ前記シートは、少なくとも前記無線通信用薄片に接触する内面が前記無線通信用薄片と接着・一体化しない非接着面とされること、少なくとも前記無線通信用薄片に接触する内面にその記無線通信用薄片との摩擦を低減するコーティング層を備えることが可能であること及びそれによって得られる効果も先のマット部材と同様である。
【００２７】
前記無線通信用薄片は、互いに接合された前記マット部と接合片部との重なり部に、可撓性を有する耐水性のシートにくるまれた（覆われた）状態で狭持され得ること、また前記無線通信用薄片は、互いに接合された前記マット部と接合片部との重なり部に、可撓性を有し電気的な絶縁性を有するシートにくるまれた状態で狭持され得ること、さらに前記無線通信用薄片は、互いに接合された前記マット部と接合片部との重なり部に、可撓性、耐水性および電気的な絶縁性を備えたシートにくるまれた状態で狭持されること、前記無線通信用薄片は、さらにその狭持状態において前記シートの内部で前記無線通信用薄片が該シートに対して変位可能に保持され得ることは前記マット部材と同様であり、その場合でも前記マット部材と同様の効果が生じる。
【００２８】
また、前記無線通信用薄片は、互いに接合されたマット部と接合片部との重なり部に、可撓性、耐水性および電気的な絶縁性を備えたシートにくるまれた（覆われた）状態で狭持されるとともに、その狭持状態において前記シートの内部で前記無線通信用薄片が該シートに対して変位可能に保持され得ること、前記シートは、シート基材の片面又は両面にシリコン樹脂コーティングがされ得ることも、前記マット部材と同様である。
【００２９】
さらに前記マット部材には、前記無線通信用薄片が記憶しているＩＤと対応付けたリンクＩＤを表したリンクＩＤ表示部が形成され得ること、その場合に、リンクＩＤ表示部は、前記マット部又は接合片部の裏面に、前記無線通信用薄片に記憶されたＩＤと対応付けて決定された数字・文字・記号・符号又はそれらの組合せ等の目視可能な、又はバーコードリーダ等で読み取り可能な特殊記号であるリンクＩＤが表示されたものとすることができ、その場合でも、前記マット部材の場合と同様の効果を奏する。
【発明の実施の形態】
【００３０】
以下、この発明の実施の形態を図面に示す実施例を参照しつつ説明する。
図１は、例えば主としてレンタル用に供される足ふきマット等のマット部材１を示している。マット部材１は、矩形状をなす本体マット部２を備え、その本体マット部２には基布３（図８、９参照）を介して、機能部としての足ふき用のパイル４（図８，９参照）が植え込まれている。言い換えれば、基布３にパイル４が植設され、その裏面に本体マット部３が下地として一体化されている。
【００３１】
その本体マット部２の外縁部の周囲に、矩形の環状に外縁側マット部５が一体的に接合されている。外縁側マット部５は図８に示すように、本体マット部２の外縁部と一定量重なりあるように配置され、その重なり部６において本体マット部２に接合されて両者が一体化されている。本体マット部２と外縁側マット部５はいずれもゴム（弾性合成樹脂でもよい）を素材とし、互いに加熱による熱圧着（加硫接着成形等）により、その境界が分からない程度に一体化され、あたかも一体のマット部の形態を呈している。本体マット部２はパイル４を保持する下地ゴム、外縁側マット部５は縁ゴムとも言え、外縁側マット部５は本体マット部２より一定量厚く形成され（同じ厚みでもよいが）、マット部材１を床に敷いた状態での安定性、定着性を高めるとともに、意匠的な効果を出す意味もある。
【００３２】
本体マット部２と外縁側マット部５との重なり部６には、その重なり部６の幅（オーバラップ量ないし重なり幅）より小さい幅の、無線通信用薄片７が狭持されている。その無線通信用薄片７は、小型で薄型の無線自動認識ＩＣチップであり、図４に平面視を示すように、可撓性を有する小さい極薄の短冊状の薄片である。つまり、細長い長手状（長方形状）のもので、例えばそのサイズは、長さが２０〜４０mm、幅が２〜７mm、厚さが０．２〜０．７mm程度である。
【００３３】
この無線通信用薄片７は、超小型のＩＣチップ８と、これにつながる送受信用のアンテナ９とを備え、これが樹脂フィルムでラミネートされたものを例示することができる。その無線通信用薄片７として、例えば図５に示すように、チップ８を主要な要素として、このチップ８がベースフィルム１０に封止材料１１（樹脂等）で一体され、チップ８に接続されるように線状のアンテナ９が、極薄い金属箔及び必要に応じてこれに所定の金属メッキがされることにより形成されている。このベースフィルム１０上のチップ８及びアンテナ９を覆うように、ラミネート基材（樹脂フィルム等）１２が図示しない接着剤層を介してベースフィルム１０に対して接着、ラミネートされ、短冊状の可撓性を有する極薄のＩＣチップ薄片とされる。
【００３４】
このような無線通信用薄片７の回路構成は、概念的には図６に示すように、チップ（ＩＣ）８とアンテナ９を主要な構成部とし、チップ８は発電回路１５、発信回路１６及び記憶手段としてのメモリ１７を備え、これらが電気的に接続されている。メモリ１７は例えばＲＯＭで構成され、そこに特定の識別データ（ＩＤ）が書き込まれて記憶されており、このＩＤは個々のマット部材１に対して互いに異なるものとされ、このＩＤが後述する無線式の読み取り装置（ＩＤ認識装置）により自動認識されて、各マット部材１が識別できることとなる。
【００３５】
具体的には、データキャリア方式に従い、図６において読み取り装置（認識装置）２０の送受信部２１から特定の周波数の電磁波が、マット部材１に埋め込まれた無線通信用薄片７に向けて発信されると、そのアンテナ９を介してチップ８でその電波が受信され、それに基づき発電回路１７が起動して所定の発電がなされ、これを電源として発信回路１６が作動する。発振回路１６はメモリ１７に記憶されているそのチップ８（マット部材１）に固有のＩＤを読み出し、これを電波によるＩＤ情報としてアンテナ９から読み取り装置２０側へ出力（発信）する。読み取り装置２０がその電波によるＩＤ情報を受け取り、これを読み取り処理部（認識処理部）２２で認識する。その認識したＩＤデータは図示しない周辺機器に取り込まれて蓄積されたり、マット部材１の例えば履歴の参照や仕分け等に利用される。
【００３６】
以上の無線通信用薄片７は、そのままの状態でマット部材１の本体マット部２と外縁側マット部５との重なり部に、両者の加熱圧着（加硫接着等）の工程時に、そこに挟み込んで狭持されてるようにしてもよいが、好ましくは、その無線通信用薄片７を全部又は一部を所定のシートで覆った状態で、上記重なり部に狭持させることができる。
【００３７】
例えば図７に例示するように、無線通信用薄片７は可撓性を有するシート２５により包まれる。この例ではシート２５は、無線通信用薄片７の長さ以上（好ましくはそれより長い）の寸法を有し、かつその薄片７の表裏を覆いうる面積（大きさ）を備え、この例では無線通信用薄片７の両端は開放された状態で、シート２５が薄片７の一方の側縁で折り畳まれ、かつ他方の側縁でも折り返されて、その終縁となる折り返し部２８（シートの一方の側縁）が、シート２５の他方の始端である他方の側縁と一定量重なり合うようにされる。この無線通信用薄片７がシート２５でくるまれたものを、ＩＤ自動認識のための無線通信用複合薄片２９ということができる。
【００３８】
このように薄片７がシート２５で覆われるわけであるが、シート２５と薄片７とは接着状態ではなく、薄片７はシート２５に対し、非接合・非一体的であって、薄片７はそのシート２５に包まれた状態で、そのシート内において変位可能、つまり自身の熱膨張が生じた際にシート２５に対して伸縮自在である。シート２５はそのような薄片７の熱膨張、具体的には本体マット部２と外縁側マット部５との熱接合時においてその間に狭持される薄片７が受ける熱による熱膨張を吸収してアンテナ９の損傷・断線等の破壊を防ぐ役割を果たすのみならず、マット部材１の洗濯時等において薄片７を水から保護する耐水性付与シートの役割も果たす。
【００３９】
本体マット部２及び外縁側マット部５には、洗濯時の水分を排除しやすくするための多数の微小孔が形成されているため、マット部材１の洗濯時等に水分から薄片７を保護できれば、その薄片７のＩＤ出力機能が不能となったりすることを回避する意味で有益である。さらにこのシート２５は、薄片７を周りから電気的に絶縁する絶縁性付与シートの機能をも果たす。これは、本体マット部２と外縁側マット部５とが加熱接合（加硫接着）された後、その裏面に所定のコーティング層が形成された後にそのゴム層が導電性を生じる状態では、床に敷かれたマット部材１を介して薄片７が接地（アース）される場合が生じるが、そのアースを防ぐことは、無線通信用薄片７によるＩＤ出力のための電波受信・送信機能を損なわないようにする点等において有意義である。
【００４０】
そして、薄片７を覆うシート２５はその素材（例えば樹脂）自体が、上述の薄片との低摩擦性、耐水性及び絶縁性を有するものでもよいが、簡便は構成として、例えばシート２５の基材を紙またはこれに類する若しくは準ずるものとし、その  基材の片面又は両面に、上記低摩擦性、耐水性及び絶縁性を高める材料、例えば樹脂等コーティングを施すことができる。図７に示す例では、紙等を基材とするシート２５の両面に例えば所定の樹脂、例えばシリコン樹脂又はエポキシ樹脂等をコーティングした樹脂コーティング層２６及び２７が形成され、このシリコン樹脂等のコーティング層により、上述の低摩擦性（滑り易さ）、耐水性及び絶縁性のいずれもが高められることとなる。
【００４１】
なお、シート２５として、上記３つの機能をすべて保有していなくても、その低摩擦性、耐水性及び絶縁性のいずれか１種又は２種以上の組合せの機能を保有するシート２５で薄片７を包んだ場合でも、その発揮しうる機能に応じて上述の一定の効果が奏される。
【００４２】
上記のようなシート２５に包まれた無線通信用薄片７、言い換えればＩＤ自動認識のための無線通信用複合薄片２９が、マット部材１の本体マット部（下地ゴム）２と外縁側マット部（縁ゴム）との重なり部６に、両者の熱接合の工程において狭持される、埋設される。その配置形態は、薄片７の長手方向この例ではアンテナ９が延びる方向が、重なり部６の長手方向に沿うように、薄片７がセットされ、そこに狭持される。つまり、薄片７の長手方向とマット部材１（外縁側マット部５）の１辺とがほぼ平行になるように配置され、これにはアンテナ９を長くて電波の送受信性を高めた薄片７（ＩＤ認識ＩＣチップ）を上記重なり部６内に納めることができる。
【００４３】
また、図６の例は、薄片７の両端が開放された状態でシート２５で包まれていたが、図１０に変形例を示すように、シート２５で薄片７を包んだ後、そのシートの両端を封止部２５ａ及び２５ｃで封止したり、さらにシート２５の折り返し部も封止部２５ｂにより封止して、薄片７をシート２５内に封入（変位は可能）することも可能である。
【００４４】
また更なる変形例として、図１１に示すように、両端が開口した筒状のシート３５に薄片７を収容したり（その開口した両端を封止することもできる）、図１２に示すように、一端が開口した袋状のシート３６に薄片７を収容したり、あるいは図１３に示すように、一端が開口した袋状のシート３６に薄片７を収容した後、その開口を封止部３７によって封止することもできる。さらに、薄片７の耐水性や絶縁性を向上させる観点からは、薄片を所定の熱収縮フィルムによりほぼ密着状態で被覆したり、薄片７を所定の樹脂槽に浸漬してその薄片７の全体を樹脂等の被膜で覆うことも可能である。
【００４５】
また、図２に示すように、マット部材２（本体マット部２又は外縁側マット部５）の裏面に薄片７が記憶しているＩＤに対応付けて決定されたリンクＩＤの表示部４０を形成することができる。例えば、そのリンクＩＤは概念的には図１５に示すように、薄片（チップ）７に電子に記憶されている電子データとしてのＩＤに予め対応付けた（関連付けた）、数字を始めとする文字、記号・符号又はそれらの組合せからなるリンクＩＤ４１（図２も参）が、例えば肉眼で視認可能に表示部４０に表示されている。
【００４６】
その表示部４０の形態は、例えばそのリンクＩＤ４１が表示された表示片４２が、マット部材１の裏面等に接着剤又は熱溶着若しくはそれらの併用等によって、そのマット部材１に貼り付けられて一体化されたり、あるいはマット部材１の裏面等に直接的に印刷、刻印、焼き付けその他の表示手法により表示されてもよい。そして、この表示部４０に表示されたリンクＩＤ４１は、薄片７に記憶されているＩＤと関連付けられたものであるが、この関連付けは、記憶されたＩＤとリンクＩＤが同じ場合も含む。
【００４７】
このようなリンクＩＤ４１の表示部４０が、本来のＩＤの記憶している薄片７と別個に設けられることにより、仮に薄片７が機能不能や機能不全に陥った場合でも、そのリンクＩＤをみれば、薄片７に記憶されていたＩＤが特定でき、結果としてそのマット部材１（ＩＤの自動認識ができなくなったもの）を識別できることとなるから、薄片７が万一壊れた場合でもそれが保障され、安心である。
【００４８】
以上の説明では、薄片７をマット部材１の本体マット部２と外縁側マット部５との合わせ目に狭持させる場合を説明したが、図１５に示すように、本体マット部２又は外縁側マット部５に。接合片部４５を接合し、その接合面（重なり部）上述の無線通信用薄片７を単独で、又は上記シート２５等で覆った（包んだ）複合薄片２９の状態で狭持させることのできる。接合片部４５は例えばゴムからなるゴム片（合成樹脂でもよい）であり、本体マット部２等の裏面に加熱圧着（加ゴム同士の加硫接着等）又は接着剤による常温の接合により一体化され、それらの接合面に薄片７が挟み込まれて一体化される。
【００４９】
この構造ないし方法は、図９に示した構造に代わるものとして採用できることはもちろん、既に製品として存在しているマット部材１にＩＤを付与して識別したり、前述の薄片７が何らかの理由で壊れた場合等にその薄片７を交換したりする際に好都合である。この場合でも、前述の実施例とは、例えば外縁側マット部５が接合片部４５に代わるだけであり、接合部（重なり部）に薄片７を埋め込む（埋設する）点では共通する。
【００５０】
そして、この実施例でも、薄片７の配設位置は、図１、２、３で示したのと同様の位置に納めることができ、また薄片７の構造は図４〜６に示したのと同じである。さらに、薄片７をシート２５等で包む等して覆う構造も、図７、図１０〜図１３の例をそのまま適用でき、そのシート２５等により前記実施例と同様の低摩擦性（薄片７の熱膨張の吸収）、耐水性や絶縁性の向上効果を得ることができる。
【００５１】
なお、図１６に示すように、接合片部４５は、薄片７の形状に対応する（薄片が短冊状であれば、それに応じて長手形状をなす）形状を採用することが好適であり、また図１６に示すように、マット部材１の１辺とほぼ平行に接合片部４５を設けることができる。なお、図１６において接合片部４５の接合場所に対応するマット部材１の部分（本体マット部２又は外縁側マット部５）に、その接合片部４５が厚さ方向に全部又は一部嵌り込む凹部を形成し、そこに薄片７を介して接合片部４５を接合してもよい。
【００５２】
そして、図１６に示すように、その例でも無線通信用薄片７に記憶されたＩＤとは別個に、それと関連付けられたリンクＩＤの表示部４０を設けることができ、それにより前述と同様の効果が得られる。
【００５３】
なお、図１５、１６において、マット部材１が本体マット部２と外縁側マット部５が接合されたものであることは必ずしも必要なく、最初からマット部として一体に形成されたものであってもよい。つまりその最初から一体のマット部に、薄片７を介して接合片部４５が接合されることとなる。
【００５４】
また以上の説明では、無線通信用薄片７が短冊状（長手状）をなしていたが、これはチップに外付けでアンテナを形成していること（アンテナをなるべく長くしたい）に影響されている。アンテナがチップに内蔵されるタイプで、一定のアンテナ性能が発揮できれば、薄片を正方形、円形、その他適宜の形状に設定することができる。そして、薄片をシートで覆う場合は、その薄片の形状応じた被覆形態を実現すればよい。
【００５５】
以上のように本実施例では、ＲＦＩＤ（Radio Frequency
Identification  無線周波数識別、データキャリア：情報（ＩＤ）を電子回路に記憶し、非接触通信による交信でＩＤを認識すること）を前提する無線自動認識ＩＤチップ（ＩＤタグ）を利用して、その超薄型ＲＦＩＤチップを、マット部材のゴムとゴムの間にシリコンペーパーで包み込んで高熱圧着し、ＲＦＩＤチップとマット認識番号（連動番号）をリンクさせたのもであって、前述のようにＲＦＩＤチップの耐久性、またそのＩＤが読み取り不要の場合でも、既に蓄積されている履歴データを保護することができる。
【００５６】
つまり、識別対象であるマット部材に、そのマット部材に固有の識別情報であるＩＤを記憶し、非接触通信による交信でそのＩＤを認識する無線自動認識ＩＤチップであるＲＦＩＤ（Radio Frequency Identification）チップが装着されるとともに、そのＲＦＩＤチップに記憶されているチップＩＤとは別個に、そのチップＩＤと対応付けるようにリンクされた別途リンクＩＤであるマット識別番号（連動番号）が表示されたリンクＩＤ表示部が形成されている。
【００５７】
そして、リンクＩＤ表示部のマット識別番号は、物理的に人の目視で読取り可能な形態、又はバーコード等、ＲＦＩＤとは異なる方法で読み取られる形態であって、ＩＤ管理個体に直接かつ物理的に付着した若しくは付加片を介して物理的に付着した非電子式記録形態のものとされる。
【００５８】
さらにマット個体識別番号は、数字・文字・記号・符号又はそれらの組合せ若しくはバーコード符号等の光学的に読み取り可能な形態で記載されている。
【００５９】
なお、リンクＩＤ（個体認識番号）を狭持する媒体として、例えば図２２、２３に示すように、透明又は半透明（透光性を有する）ゴム又は合成樹脂の接合体５１を基材とし、この透明等の基材の裏面に反転数字・文字等により個体認識番号の印刷部５１を形成する。一方、表面側（反転して見える側）をカバーフィルムとして樹脂フィルム５２（例えばＰＥＴ）で被覆する。そして、図２４に示すように、印刷部５１が形成された側をマット部２又は５の裏面に当てて、高温でその基材５０をマット部裏面に圧着し、その後カバーフィルム５１を剥離する。これにより、作業者又はオペレータは、上記個体認識番号（反転表示）を透明等の基材５０を透過して正対形態で目視することができる。この場合は、印刷部５１が透明の基材５０で覆われることになるので、印刷部の摩耗がなく、また高温圧着の際にカバーフィルム５２で基材５０が保護される効果がある。なお、印刷部としてバーコード等、基材５０の表面からバーコードリーダ等で読み取るものでもよい。
【００６０】
また以上の説明では、無線通信用薄片７が短冊状（長手状）をなしていたが、これはチップに外付けでアンテナを形成していること（アンテナをなるべく長くしたい）に影響されている。アンテナがチップに内蔵されるタイプで、一定のアンテナ性能が発揮できれば、薄片を正方形、円形、その他適宜の形状に設定することができる。そして、薄片をシートで覆う場合は、その薄片の形状応じた被覆形態を実現するればよい。
【図面の簡単な説明】
【００６１】
【図１】マット部材の一例を示す平面図。
【図２】マット部材の一例を示す裏面図。
【図３】マット部材の図１の一部拡大図。
【図４】無線通信用薄片の一例を示す平面図
【図５】その無線通信用薄片の一例を示す一部拡大断面図。
【図６】その無線通信用薄片の構造と読み取り（認識装置）を概念的に示す回路図。
【図７】その無線通信用薄片をシートで包んだ例を示す斜視図。
【図８】その無線通信用薄片をマット部材の本体マット部と外縁側マット部との重なり部に狭持する工程の一例を示す断面図。
【図９】その無線通信用薄片をマット部材の本体マット部と外縁側マット部との重なり部に狭持した後の状態の一例を示す断面図。
【図１０】無線通信用薄片をシートで包む別の例を示す図。
【図１１】無線通信用薄片をシートで覆う変形例を示す図。
【図１２】図１１のさらに変形例を示す図。
【図１３】図１２のさらに変形例を示す図。
【図１４】リンクＩＤの表示部に関して、無線通信用薄片に記憶されているＩＤとの関連性を説明する概念図。
【図１５】無線通信用薄片をマット部材のマット部材と接合片部との間に狭持する工程の一例を示す断面図。
【図１６】その接合片部を接合した状態の一例を示すマット部材の裏面部分図。
【図１７】リンクＩＤの表示部の一例を表面と裏面で示す図。
【図１８】その表示部の断面図。
【図１９】その表示部のマット部材への固着形態を示す図。
【符号の説明】
【００６２】
１  マット部材
２  本体マット部
３  基布
４  パイル（機能部）
５  外縁側マット部
６  重なり部
７  無線通信用薄片
８  チップ
９  アンテナ
２０  読み取り装置（認識装置）
２５、３５、３６  シート
２６、２７  樹脂コーティング層
２９  無線通信用複合薄片
４０  リンクＩＤ表示部
４１  リンクＩＤ
４５  接合片部
【図１】
2005052662.tif 000003
【図２】
2005052662.tif 000004
【図３】
2005052662.tif 000005
【図４】
2005052662.tif 000006
【図５】
2005052662.tif 000007
【図６】
2005052662.tif 000008
【図７】
2005052662.tif 000009
【図８】
2005052662.tif 000010
【図９】
2005052662.tif 000011
【図１０】
2005052662.tif 000012
【図１１】
2005052662.tif 000013
【図１２】
2005052662.tif 000014
【図１３】
2005052662.tif 000015
【図１４】
2005052662.tif 000016
【図１５】
2005052662.tif 000017
【図１６】
2005052662.tif 000018
【図１７】
2005052662.tif 000019
【図１８】
2005052662.tif 000020
【図１９】
2005052662.tif 000021